(57)【特許請求の範囲】
【請求項１】
パイプ取付け孔を有する胴と；
この胴の外部に配置されるとともに外周に外溝が形成された胴外突出部を有して、前記パイプ取付け孔に挿入され前記胴に液密に固定された巻真パイプと；
前記胴外突出部の外周に密接して取外し可能に嵌合され前記外溝で回り止めされた樹脂製弾性材料からなるリング状のパッキンと；
外周に形成された雄ねじ部及び内周に形成された内溝を有し、前記パッキンを前記胴外突出部との間に圧縮状態に挟持して前記パッキンの外周に嵌合されるとともに、前記胴に近い側の端面にこじ開け用のテーパ面を有するリングと；
前記雄ねじ部に着脱可能に螺合された竜頭と；
を具備した携帯時計。
【請求項２】
複数の前記外溝の夫々を前記巻真パイプの軸方向に延びて前記胴外突出部の全長にわたって設けるとともに、複数の前記内溝の夫々を前記リングの軸方向に延びてこのリングの全長にわたって設けた請求項１に記載の携帯時計。
【請求項３】
前記外溝は、前記胴外突出部の外周全体にローレット加工跡で形成されたものであり、前記内溝は前記リングの内周全体にローレット加工跡で形成されたものである請求項２に記載の携帯時計。
【請求項４】
前記パッキンの内周に前記外溝に係合される内向き凸部を前記外溝と同数設けるとともに、前記パッキンの外周に前記内溝に係合される外向き凸部を前記内溝と同数設けた請求項１から３の内のいずれか一項に記載の携帯時計。
【請求項５】
前記パッキンを、前記胴外突出部とリングとの間に挟まれる回り止め筒部と、この回り止め筒部と一体で前記胴に近い方の前記竜頭の端部と前記胴との間に挟まれるフランジ部とで形成した請求項１から４の内のいずれか一項に記載の携帯時計。
【発明の詳細な説明】
【技術分野】
【０００１】
本発明は、竜頭が不用意に回転されないように保持する構造を備えた携帯時計に関する。
【背景技術】
【０００２】
携帯時計の中には、その携帯時に竜頭が不用意に回転されないように、ねじの噛合いを利用して竜頭をロックする構造（この構造を本明細書ではねじロック又はねじロック構造と称する。）を採用したものがある。
【０００３】
ねじロック構造は、時計ムーブメントが内蔵された胴に巻真パイプを取付け、このパイプの胴外突出部の外周に形成された雄ねじ部に、胴外突出部に被嵌する竜頭主部の雌ねじ部を螺合する構造である。これにより、通常時には、竜頭主部を胴外突出部の外周に螺合して竜頭をロックできる。又、時計ムーブメントを操作する時には、雄ねじ部に対する竜頭主部の螺合を外してから、竜頭を引き動かした状態で巻真パイプの内側に配置されている巻真を回転操作することができる。
【０００４】
このようなねじロック構造を備えた従来の携帯時計では、一般に、胴に対して巻真パイプをろう付けすることにより、巻真パイプ取付け部の防水を図っている（例えば特許文献１参照。）。
【０００５】
この他に、竜頭が螺合される雄ねじ部とは別の雄ねじ部を巻真パイプに設けて、この別の雄ねじ部を雌ねじ部が形成された胴のパイプ取付け孔にねじ込むとともに、このねじ込みに伴い胴と巻真パイプとの間に防水パッキンを挟み込んで、巻真パイプ取付け部の防水を図った携帯時計も知られている（例えば特許文献２参照。）。
【特許文献１】特開昭57−46181号公報（第１頁右欄第８行−第２頁左欄第７行、第１図−第２図）
【特許文献２】特開2004−245594号公報（段落0016−0025、図１−図２）
【発明の開示】
【発明が解決しようとする課題】
【０００６】
ねじロック構造を備える携帯時計では、竜頭が繰返し回転操作されるに伴い、互いに螺合する竜頭の雌ねじ部と巻真パイプの雄ねじ部とが摩耗したり、削れたりすることがある。それにより、竜頭をロックする機能、いわゆるねじロックの機能が低下する。
【０００７】
このような事態に至った場合、胴に巻真パイプがろう付けされている特許文献１の携帯時計では、巻真パイプの胴からの取外しを伴う竜頭まわりの部品交換ができない。このため、胴を含めた時計外装組立の交換を余儀なくされており、その改善が求められている。
【０００８】
胴に巻真パイプをねじ込んだ特許文献２の時計では、原理的には巻真パイプを含めた竜頭まわりの部品交換が可能であると考えられている。しかし、竜頭を巻真パイプに螺合させたり、この螺合を外したりするたびに、巻真パイプには回転力が作用するから、それに伴って胴に対する巻真パイプのねじ込みが緩んで、防水パッキンによる防水性が低下するおそれがある。
【０００９】
この対策として、巻真パイプと胴との螺合部に接着剤を充填することがある。このように接着止めされる場合には、巻真パイプを胴から取外すことが困難となり、実際上は竜頭まわりの部品交換ができなくなる。それにより、ねじロック機能が低下した場合に、胴を含めた時計外装組立の交換を余儀なくされるので、その改善が求められている。
【００１０】
本発明の目的は、ねじロック機能が低下した場合に巻真パイプを除く竜頭まわりの部品交換を可能とした携帯時計を提供することにある。
【課題を解決するための手段】
【００１１】
前記課題を解決するために、本発明は、パイプ取付け孔を有する胴と；この胴の外部に配置されるとともに外周に外溝が形成された胴外突出部を有して、前記パイプ取付け孔に挿入され前記胴に液密に固定された巻真パイプと；前記胴外突出部の外周に密接して取外し可能に嵌合され前記外溝で回り止めされた樹脂製弾性材料からなるリング状のパッキンと；外周に形成された雄ねじ部及び内周に形成された内溝を有し、前記パッキンを前記胴外突出部との間に圧縮状態に挟持して前記パッキンの外周に嵌合されるとともに、前記胴に近い側の端面にこじ開け用のテーパ面を有するリングと；前記雄ねじ部に着脱可能に螺合された竜頭と；を具備している。
【００１２】
本発明で、胴外突出部の外溝及びリングの内溝は、それらの外周又は内周の一部にだけ、例えば周方向に間隔を置いて複数個所に設けることもできる。しかし、胴外突出部に対するパッキンの回り止め及びこのパッキンに対するリングの回り止めをより確実にする上では、外溝及び内溝を胴外突出部及びリングの周方向全体に設けることが好ましい。
【００１３】
外溝及び内溝は、胴外突出部及びリングの周方向に沿って環状又は螺旋状に設けることも可能であるが、既述の回り止めをより確実にする上では、胴外突出部及びリングの周方向に対して交差する方向に延ばして設けることが好ましい。この例としてローレット加工跡により外溝及び内溝を形成でき、この場合、平目、右斜目、左斜目、又はあや目のローレット加工跡を挙げることができる。平目のローレット加工跡からなる外溝及び内溝は、胴外突出部及びリングの軸方向に延びて形成される。右斜目又は左斜目のローレット加工跡からなる外溝及び内溝は、胴外突出部及びリングの軸方向に交差して形成される。あや目のローレット加工跡からなる外溝及び内溝は、その加工跡自体が斜めに交差するとともに、胴外突出部及びリングの軸方向にも交差して形成される。
【００１４】
本発明で、パッキンは、巻真パイプの胴外突出部及びパイプより柔らかい樹脂例えばゴム系又はプラスチック系の弾性材料で形成される。プラスチック系の弾性材料としては、テフゼル及びテルプレン（いずれも商品名）又はＰＰ（ポリプロピレン）を挙げることができる。
【００１５】
本発明では、巻真パイプは胴に対して液密にかつ分離できないように固定されている。そして、胴外突出部とリングとで圧縮されたパッキンの内周部が外溝に入り込むとともに、パッキンの外周部が内溝に入り込んでいる。これにより、竜頭が外周に着脱可能に螺合し、この螺合により竜頭をロックするリングは、パッキンを介して巻真パイプの胴外突出部に回り止めされている。このリングはパッキンから人為的に外すことが可能であるとともに、パッキンも胴外突出部から人為的に外すことが可能である。このため、ねじロック機能を発揮させたり解除したりする竜頭の回転操作に伴うねじ部の摩耗などで、ねじロック機能が低下した場合には、巻真パイプを胴に液密に固定されたままにして、竜頭、リング、及びパッキンの内で少なくともリング及びパッキンを交換できる。
【００１６】
本発明の好ましい形態では、複数の前記外溝の夫々を前記巻真パイプの軸方向に延びて前記胴外突出部の全長にわたって設けるとともに、複数の前記内溝の夫々を前記リングの軸方向に延びてこのリングの全長にわたって設けている。
【００１７】
この好ましい形態では、外溝及び内溝が、パッキン及びリングの回転方向に直角に交差するように設けられるので、パッキン及びリングを確実に回り止めできる。更に、胴外突出部の外周に対してパッキンを嵌合させる際のパッキン押し込み方向と外溝が延びる方向が一致しているとともに、パッキンの外周にリングを嵌合させる際のリング押し込み方向と内溝が延びる方向が一致している。これにより、パッキン及びリングを押し込む際にこれらが外溝及び内溝に引っ掛かることが抑制され、容易にパッキン及びリングを取付けることができる。
【００１８】
又、本発明の好ましい形態では、前記胴外突出部の外周全体に外溝をローレット加工跡で形成するとともに、前記リングの内周全体に前記内溝をローレット加工跡で形成している。
【００１９】
この好ましい形態では、胴外突出部の内周全体に形成された外溝と、リングの内周全体に形成された内溝とにより、胴外突出部とリングで圧縮状態に挟持されたパッキンを、その全周にわたり凸凹とした構造とできる。これにより、胴外突出部の外周及びリングの内周に対するパッキンの圧接面積が増やされて、パッキン及びリングを確実に回り止めできる。
【００２０】
又、本発明の好ましい形態では、前記パッキンの内周に前記外溝に係合される内向き凸部を前記外溝と同数設けるとともに、前記パッキンの外周に前記内溝に係合される外向き凸部を前記内溝と同数設けている。
【００２１】
この好ましい形態では、パッキンに外溝及び内溝に対応してこれらと同数の内向き凸部及び外向き凸部を予め設けたので、このパッキンを軸方向に沿って押し込んで胴外突出部の外周に嵌合させ易くなるとともに、リングを軸方向に沿って押し込んでパッキンの外周に嵌合させ易くでき、組立て作業性を向上できる。
【００２２】
又、本発明の好ましい形態では、前記パッキンを、前記胴外突出部とリングとの間に挟まれる回り止め筒部と、この回り止め筒部と一体で前記胴に近い方の前記竜頭の端部と前記胴との間に挟まれるフランジ部とで形成している。
【００２３】
この好ましい形態では、竜頭をロックするためのねじ込み操作に伴って、この竜頭の胴に近い方の端部が胴の外面に食いつくことをフランジ部で防止できる。このため、竜頭のロックを解除するのに、竜頭を回わし始める時に、過大な回転操作力を要することがなくなり、操作感を改善できる。
【発明の効果】
【００２４】
本発明によれば、ねじロック機能が低下した場合に巻真パイプを除く竜頭まわりの部品交換を可能とした携帯時計を提供できる。
【発明を実施するための最良の形態】
【００２５】
本発明の第１実施形態を図１〜図６を参照して説明する。
【００２６】
図１中符号１１は竜頭をねじロックできる機能を備えた携帯時計として例えば腕時計を示している。腕時計１１は時計外装組立１２内に時計ムーブメント１３や文字板１４等を収容している。なお、図１中符号１５は、時針、分針、秒針などの時刻表示針を示している。時計ムーブメント１３は、小型電池やぜんまいを動力にしたもの、又は自動巻きのもの、若しくはクォーツ発振モジュールにより文字板１４上で時刻等をデジタル表示するデジタル時計対応のもの、或いはデジタル時計対応のものとそれ以外のものとを併用したもの等のいずれであってもよい。
【００２７】
時計外装組立１２は、環状をなす金属製の胴１６の厚み方向一面に、化粧リング１２ａを介してカバーガラス１７を液密に装着するとともに、胴１６の厚み方向裏面に、金属等からなる裏蓋１８を液密に装着して形成されている。カバーガラス１７を通して文字板１４などを透視可能であり、裏蓋１８は取外し可能である。
【００２８】
図１、図２、及び図６に示すように胴１６の一部には、この胴１６を半径方向に貫通するパイプ取付け孔１９が設けられている。パイプ取付け孔１９の一端は、胴内、つまり時計外装組立１２の内部に開口され、パイプ取付け孔１９の他端は、胴外、つまり時計外装組立１２の外部に開口されている。胴１６の胴外面１６ａにはパイプ取付け孔１９より大径の環形溝２０が形成されている。この環形溝２０は、パイプ取付け孔１９の胴外側開口に連通し、かつ、この開口と同心的に設けられている。
【００２９】
図１、図２、及び図６に示すように胴１６にはパイプ取付け孔１９に胴外側から挿入された巻真パイプ２１が液密に固定されている。巻真パイプ２１は、金属製であり、例えばステンレス鋼を好適に使用できる。この巻真パイプ２１は、一端側部位をなす挿入部２２と他端側部位をなす胴外突出部２３とを有している。挿入部２２はパイプ取付け孔１９に胴外側から例えば圧入気味に挿入される部分である。胴外突出部２３は、胴１６の外部に配置される部分であって、挿入部２２の外径及び環形溝２０の直径よりも大きい。
【００３０】
挿入部２２にこれとの間に段差をなして一体に連なった胴外突出部２３の外周には、複数の外溝２３ａが形成されている。好ましい例として外溝２３ａは、図２及び図６に示すように胴外突出部２３の全長にわたって巻真パイプ２１の軸方向に延びているとともに、図３に示すように胴外突出部２３の周方向に所定間隔毎に並べられている。これらの外溝２３ａを設けたことによって胴外突出部２３の外周は凹凸面に形成されている。この外溝２３ａは例えば胴外突出部２３の外周にローレット加工を施して設けられた平目のローレット加工跡で形成されている。ローレット加工は、切削加工又は引き抜き加工のいずれでもよい。
【００３１】
巻真パイプ２１は、その挿入部２２を、胴外突出部２３が胴外面１６ａに当たるまでパイプ取付け孔１９に挿入して、環形溝２０に充填された金属製ろう材２４によって胴１６に対して分離できないように固定されている。この固定を担うろう材２４は、胴１６と巻真パイプ２１との間の防水を担う液密保持用の部材としても機能している。なお、挿入部２２は、本実施形態ではパイプ取付け孔１９を貫通しない長さであるが、パイプ取付け孔１９を貫通する長さとしてもよい。
【００３２】
胴外突出部２３にはパッキン２５が取外し可能に嵌合されている。パッキン２５は、弾性変形が可能な樹脂材料、例えば弾性を有するプラスチックス、具体的にはポリプロピレンによりリング状に形成されている。このパッキン２５は、回り止め筒部２６と、これと一体に成形されたフランジ部２７とで形成されている。パッキン２５の全長（軸方向の長さ）は胴外突出部２３の全長（軸方向の長さ）と同じである。
【００３３】
パッキン２５が胴外突出部２３に取付けられる前の自由状態での回り止め筒部２６の内径Ｄ１（図４参照）は、胴外突出部２３の外径Ｄ２（図３参照）より小さい。同じく自由状態での回り止め筒部２６の外径Ｄ３（図４参照）は、後述するリングの内径Ｄ４（図５参照）より大きい。フランジ部２７がない方の回り止め筒部２６の端部外周には、この端部の外径を次第に小さくするテーパ面２６ｃが形成されている。フランジ部２７は外向きに突設されていて、その直径Ｄ５（図４参照）は前記外径Ｄ１〜Ｄ４より大きい。
【００３４】
図１及び図６に示すようにパッキン２５は、回り止め筒部２６を胴外突出部２３の外周に嵌合するとともに、フランジ部２７を胴外面１６ａに当接して胴外突出部２３に取付けられている。この取付けは、フランジ部２７を先頭にして回り止め筒部２６を弾性変形させながら胴外突出部２３に押し込むことによってなされる。したがって、この逆に、パッキン２５を強く引き動かすことによって、胴外突出部２３からパッキン２５を外すことができる。
【００３５】
胴外突出部２３に取付けられたパッキン２５の外周にダミー部材として機能するリング２８が取外し可能に嵌合されている。リング２８は、金属製であり、例えばステンレス鋼を好適に使用できる。リング２８は胴外突出部２３とほぼ同じ長さであって、図２及び図５に示すように外周にねじロックのための雄ねじ部２９が形成されている。
【００３６】
リング２８の内周には複数の内溝２８ａが形成されている。好ましい例として内溝２８ａは、図２及び図５に示すようにリング２８の全長にわたって軸方向に延びているとともに、リング２８の周方向に所定間隔毎に並べられている。これらの内溝２８ａを設けたことによってリング２８の内周は凹凸面に形成されている。この内溝２８ａは例えばリング２８の内周にローレット加工を施して設けられた平目のローレット加工跡で形成されている。ローレット加工として引き抜き加工を挙げることができ、又、図２及び図６中符号２８ｂは、雄ねじ部２９の面取りを兼ねたこじ開け用のテーパ面を示している。
【００３７】
リング２８は、そのテーパ面２８ｂがある端部を先頭にして、この端部がフランジ部２７に当たるまで強く押し込むことによって、パッキン２５の外周に嵌合して取付けられている(この状態を図６に示す。)。したがって、この逆に、リング２８を強く引き動かすことによって、パッキン２５上からリング２８を外すことができる。
【００３８】
リング２８がパッキン２５に嵌合されることに伴い、前記Ｄ３，Ｄ４の寸法差に応じてパッキン２５は、更に弾性変形して、胴外突出部２３とリング２８との間に圧縮状態に挟まれる。それにより、パッキン２５の内周部が胴外突出部２３の外溝２３ａの夫々に入り込んでパッキン２５が胴外突出部２３の外周に圧接されるとともに、パッキン２５の外周部がリング２８の内溝２８ａの夫々に入り込んでパッキン２５がリング２８の内周に圧接される。
【００３９】
こうした圧接による摩擦力で、胴外突出部２３の周方向にパッキン２５が回り止めされるとともに、パッキン２５の周方向にリング２８が回り止めされている。更に、前記摩擦力によって、後述するコイルばね３９の付勢力に抗してリング２８を胴外突出部２３の外周から軸方向に抜けないように確実に保持できる。
【００４０】
この場合、ローレット加工跡からなる外溝２３ａが胴外突出部２３の外周全体に形成されているとともに、ローレット加工跡からなる内溝２８ａがリング２８の内周全体に形成されているので、胴外突出部２３とリング２８で圧縮状態に挟持されたパッキン２５は、その全周にわたり連続して凸凹を形成した形状となる。これにより、胴外突出部２３の外周及びリング２８の内周に対するパッキン２５の圧接面積が増加する。したがって、パッキン２５及びリング２８の回り止めが確実である。その上、外溝２３ａ及び内溝２８ａは、パッキン２５及びリング２８の回転方向と直角に交差するように設けられている。この点でも、パッキン２５及びリング２８を確実に回り止めできる。
【００４１】
又、胴外突出部２３の外周にパッキン２５を嵌合させる際のパッキン押し込み方向と、外溝２３ａが延びる方向は一致している。これとともに、パッキン２５の外周にリング２８を嵌合させる際のリング押し込み方向と、内溝２８ａが延びる方向は一致している。このため、パッキン２５及びリング２８を押し込んで取付ける際に、これらが外溝２３ａ及び内溝２８ａに引っ掛かることが抑制されるので、容易にパッキン２５及びリング２８を胴外突出部２３上に次々に嵌合させることができる。
【００４２】
図１中符号３１で示す竜頭は、金属製であって、竜頭主部３２と、この中央部から裏側に一体に突出する竜頭筒部３３を有している。
【００４３】
竜頭筒部３３はその軸方向に進退可能となるように挿入部２２の内側に挿入されている。この竜頭筒部３３と挿入部２２との間の防水は、これらのいずれか一方例えば挿入部２２に取付けた環形をなしたゴム製の防水パッキン３４が担っている。この防水パッキン３４は、巻真パイプ２１の内周と竜頭筒部３３の外周との間に圧縮状態に弾性変形して挟まれている。
【００４４】
竜頭主部３２は竜頭筒部３３の根元側部位を囲む環状溝３３ａを有している。この環状溝３３ａはリング２８が取付けられた胴外突出部２３が収容される部分である。竜頭主部３２の外周には、竜頭３１を回転操作する際の指の滑り止めをなす平目構造のローレット溝３２ｂが形成されている。竜頭主部３２の内周にはねじロックのための雌ねじ部３５が形成されている。雌ねじ部３５は、リング２８の雄ねじ部２９に取外し可能に螺合される。竜頭３１の竜頭主部３２に指をかけて、竜頭３１を締め付け方向に回転させることで、雌ねじ部３５の雄ねじ部２９への噛み合い（螺合）を深くすることができ、この逆に竜頭３１を弛める方向に回転させることで、前記噛み合いを外すことができる。
【００４５】
竜頭３１を回転させて締め付けることによって、図１に示すように竜頭主部３２が胴１６の胴外面１６ａに被さったフランジ部２７に密接して、腕時計１１の携帯時に竜頭３１が不用意に回転されないようにねじロックする機能が発揮される。なお、パッキン２５のフランジ部２７は省略することができ、この場合には竜頭主部３２が胴１６の胴外面１６ａに密接してねじロックする機能が発揮される。
【００４６】
図１に示すように竜頭筒部３３内には、巻真３７が胴１６の内部から外部に向けて挿入されているとともに、この巻真３７を支えとして設けられるばね受け３８と、これに一端が支持されて竜頭３１を胴１６の外部に向けて付勢する付勢体例えばコイルばね３９が収容されている。時計ムーブメント１３は、雄ねじ部２９に対する雌ねじ部３５の噛み合いを外した状態、言い換えれば、ねじロックが解除された状態で、竜頭３１の回転操作に連動して回転される。これにより、時刻合わせ等が行われる。
【００４７】
竜頭操作後に竜頭３１を胴外突出部２３に取付けてねじロックするには、その竜頭筒部３３に巻真３７が接続された状態のままで胴１６の外部から巻真パイプ２１内に押し込みながら、竜頭主部３２の雌ねじ部３５をリング２８の雄ねじ部２９にねじ込んで締付ければよい。それにより、竜頭３１が雄ねじ部２９に最も深くねじ込まれた状態で、竜頭主部３２は、これと胴１６の胴外面１６ａとの間にパッキン２５のフランジ部２７を圧縮状態に挟持するとともに、リング２８及びこれが取付けられた胴外突出部２３を覆い隠す。
【００４８】
パッキン２５のフランジ部２７によって、以上のように竜頭３１をロックするための竜頭３１のねじ込み操作に伴って、この竜頭３１の胴１６に近い方の端部が胴外面１６ａに食いつくことが防止される。加えて、フランジ部２７は合成樹脂製であり、特にポリプロピレンと金属との間の摩擦抵抗は、金属背の胴１６と金属性の竜頭３１との間の摩擦抵抗より小さい。したがって、竜頭３１のロックを解除するのに、竜頭３１を回わし始める時に、過大な回転操作力を要することがなくなり、操作感を改善できる。
【００４９】
この取付け完了状態では以下のように高圧防水機能を発揮しかつ維持できる。すなわち、巻真パイプ２１と胴１６との間の防水は、これらを固定したろう材２４により確保でき、巻真パイプ２１とこの内側に挿入された竜頭筒部３３との間の防水は、これらの間に圧縮状態に弾性変形して挟まれた防水パッキン３４により確保できる。しかも、フランジ部２７が圧縮状態に挟持されていることによって、雄ねじ部２９と雌ねじ部３５との螺合部への水や砂塵などの入り込みも抑制できる。
【００５０】
携帯時計１１の携帯中は、既述のように竜頭３１がねじロックされているので、不用意に竜頭３１が回されて、時刻表示などが変化することを防止できる。時刻合わせ等を行う場合には、ねじロックをする場合と逆方向に竜頭３１を回転させて、リング２８の雄ねじ部２９に対する竜頭主部３２の噛み合いを外して、竜頭３１をコイルばね４３のばね力に抗して引出した状態で行うことができる。
【００５１】
竜頭３１の回転操作に伴ってねじ部が損傷し、或いは摩耗する等により竜頭３１のねじロック機能が低下した場合には、以下のように部品交換で対処できる。
【００５２】
すなわち、まず、胴１６から竜頭３１を取外した後に、胴外面１６ａに重なっているフランジ部２７とこれに接触したリング２８の端面との間の楔状の隙間（この隙間はリング２８にテーパ面２８ｂを設けたことによって形成される。）に図示しない工具の先端を差し込んで、リング２８にこれを外すに必要十分な力を与えてリング２８を工具でこじりながら、このリング２８を巻真パイプ２１の胴外突出部２３の外周から外す。
【００５３】
この取外しは、胴１６に巻真パイプ２１をろう付けにより固定した状態を保持したままでなされる。この場合、リング２８にこじり力を与える工具が、胴外面１６ａ及び胴外突出部２３に当たって、これらが傷付けられることを、パッキン２５によって防止できる。
【００５４】
更に、パッキン２５を弾性変形させながら胴外突出部２３上から外す。この場合にも、フランジ部２７を掴んでパッキン２５を外す操作をすることができるので、パッキン２５を外し易い。なお、パッキン２５を外す際には、このパッキン２５の適当箇所に刃物で切れ目を入れて、破り取るようにすることもできる。
【００５５】
又、プラスチック系のパッキン２５は、金属に比較して以下の点で有利である。金属であるリング２８に対して金属製のパッキンが弾性変形して密に圧接する構成では、このパッキンの締め代のばらつきにより、リング２８と金属製パッキンとの間の摩擦抵抗力の過不足が起こり易く、適正な摩擦抵抗力を定めることが難しい。摩擦抵抗力の過大になると、リング２８を外す操作が極端に重くなるとともに外れない可能性が高くなり、この逆に、摩擦抵抗力の過小になると、リングを確実に回り止めすることができなくなる可能性が高くなる。しかし、プラスチック系のパッキン２５は金属より遥かに弾性変形が容易であるので、パッキン２５の締め代のばらつきに拘わらず、リング２８とパッキン２５との間に適正な摩擦抵抗力を設定し易く、実用的である。
【００５６】
次に、巻真パイプ２１の胴外突出部２３の外周に、交換部品として新たに用意されたパッキン２５とリング２８とを既述のように押し込みながら嵌合して取付け、この後に、リング２８に竜頭３１を螺合して取付ける。この場合、必要に応じて竜頭３１も交換できる。
【００５７】
以上のようにねじロック機能の低下に対して、巻真パイプ２１をろう付けにより胴１６に固定した状態を保持したままで、新たなパッキン２５及びリング２８等を交換可能である。このため、ねじロック機能の低下に対する修理において、胴１６と巻真パイプ２１との間の防水性能が損なわれることがないとともに、新たな防水保障を講じる必要もない。したがって、初期の防水品質を長期にわたり維持できるとともに、修理依頼者にとっては、胴１６を含めた時計外装組立１２全体を交換する必要がなく、部品交換で対応できるので、費用負担を軽減できる。
【００５８】
なお、ねじロック機能の低下に対する既述の修理において、交換部品としてのリング２８の形状が共通で、その雄ねじ部２９の径、ピッチ、及びねじ山の数などが異なる複数種の交換用の新たなリング２８を用意するとともに、これらの雄ねじ部２９に個別に対応する雌ねじ部を有した竜頭３１を複数種用意して置くとよい。この場合には、使用により損傷して廃棄されるリング２８及び竜頭３１と同じものに交換することに制約されずに、前記複数種の中から任意に選択された同種の新たなリング２８及び竜頭３１と交換することが可能である。これにより、交換部品を長期にわたり保管して置く必要がなくなるので、製造者側にとっての部品管理が容易となる。
【００５９】
図７〜図１１は本発明の第２実施形態を示している。第２実施形態は、以下、説明する事項以外は第１実施形態と同じであるので、第１実施形態と同じ構成には第１実施形態と同じ符号を付して説明を省略する。
【００６０】
第２実施形態では、図９に示されるようにパッキン２５の回り止め筒部２６が周方向に連続する凹凸からなる波形に形成されている。詳しくは、胴外突出部２３とリング２８との間に圧縮状態に挟持される回り止め筒部２６の内周に複数の内向き凸部２６ａが周方向に所定間隔毎に並べられて設けられ、更に、回り止め筒部２６の外周にも複数の外向き凸部２６ｂが周方向に所定間隔毎に並べられて設けられている。これら内向き凸部２６ａと外向き凸部２６ｂとは周方向にずれている。内向き凸部２６ａの数及び大きさは胴外突出部２３の外溝２３ａの数及び大きさに対応して例えば同数設けられ、これらの内向き凸部２６ａを外溝２３ａに入り込ませて、パッキン２５が胴外突出部２３の外周に嵌合されるようになっている。同様に、外向き凸部２６ｂの数及び大きさはリング２８の内溝２８ａの数及び大きさに対応して例えば同数設けられ、これらの外向き凸部２６ｂを内溝２８ａに入り込ませて、リング２８がパッキン２５の外周に嵌合されるようになっている。以上説明した事項以外は、図示されない事項を含めて第１実施形態と同じである。
【００６１】
したがって、第２実施形態は、第１実施形態と同様な作用を得て本発明の課題を解決できる。しかも、パッキン２５が外溝２３ａ及び内溝２８ａに対応してこれらと同数の内向き凸部２６ａ及び外向き凸部２６ｂを有しているので、このパッキン２５を軸方向に沿って押し込んで胴外突出部２３の外周に嵌合させ易くなるとともに、リング２８を軸方向に沿って押し込んでパッキン２５の外周に嵌合させ易くできる。このため、組立て作業性を向上できる。
【００６２】
本発明は前記各実施形態には制約されるものではなく、例えば高圧防水性能を要求されない通常の腕時計、懐中時計、又はネックレス型の提げ時計などの携帯時計にも適用可能である。又、パッキンを、リングと別部材にするのではなく、リングの内周にインサート成形により装着することも可能であり、この構成は、組立てに要する部品数を削減できる点で好ましい。
【図面の簡単な説明】
【００６３】
【図１】本発明の第１実施形態に係る腕時計の一部を示す断面図。
【図２】図１の腕時計の胴に取付けられた巻真パイプとパッキンとリングとを分解した状態で示す断面図。
【図３】図２中Ｆ３−Ｆ３線に沿って示す巻真パイプの正面図。
【図４】図２中Ｆ４−Ｆ４線に沿って示すパッキンの正面図。
【図５】図２中Ｆ５−Ｆ５線に沿って示すリングの正面図。
【図６】図１の腕時計の胴に取付けられた巻真パイプとパッキンとリングとを組立てた状態で示す断面図。
【図７】本発明の第２実施形態に係る腕時計の胴に取付けられた巻真パイプとパッキンとリングとを分解した状態で示す断面図。
【図８】図７中Ｆ８−Ｆ８線に沿って示す巻真パイプの正面図。
【図９】図７中Ｆ９−Ｆ９線に沿って示すパッキンの正面図。
【図１０】図７中Ｆ１０−Ｆ１０線に沿って示すリングの正面図。
【図１１】第２実施形態の腕時計の胴に取付けられた巻真パイプとパッキンとリングとを組立てた状態で示す断面図。
【符号の説明】
【００６４】
１１…腕時計（携帯時計）
１２…時計外装組立
１６…胴
１６ａ…胴の胴外面
１９…パイプ取付け孔
２１…巻真パイプ
２２…挿入部
２３…胴外突出部
２３ａ…外溝
２４…ろう材
２５…パッキン
２６…回り止め筒部
２６ａ…内向き凸部
２６ｂ…外向き凸部
２７…フランジ部
２８…リング
２８ａ…内溝
２９…雄ねじ部
３１…竜頭
３５…雌ねじ部
【図１】
0004652942.tif 000002
【図２】
0004652942.tif 000003
【図３】
0004652942.tif 000004
【図４】
0004652942.tif 000005
【図５】
0004652942.tif 000006
【図６】
0004652942.tif 000007
【図７】
0004652942.tif 000008
【図８】
0004652942.tif 000009
【図９】
0004652942.tif 000010
【図１０】
0004652942.tif 000011
【図１１】
0004652942.tif 000012